(57)【要約】  【課題】蓋体の開閉機構が簡単であり、かつ、振動などによって故障しないような使い勝手のよい収納箱を提供する。  【解決手段】箱本体２の箱側取付部材４と蓋体３の蓋側取付部材５との間にはガスダンパ６が取り付けられている。通常は、蓋体３はロック機構によって閉じられているが、押し釦を押すとロック機構７が解除されて蓋体は開放可能な状態になる。このとき、ガスダンパ６の内部に封入されたガスの圧力によってピストンロッド６ａが摺動し、ソフトな反発力によってピストンロッド６ａを伸張させながら蓋体３は自動的に開放される。そして、ガスダンパ６内のピストンの終端位置でピストンロッド６ａが停止するので、蓋体３の開放は自動的に停止する。すなわち、ガスダンパ６によって蓋体３を開放するためのバネ機能とストッパ機能とを備えることができる。【選択図】図１
2006001597.tif 000002
【特許請求の範囲】
【請求項１】
箱本体と蓋体とを備え、前記蓋体が開閉自在に構成された収納箱であって、
前記箱本体と前記蓋体との間に、封入されたガスの圧力によって前記蓋体を開放させるガスダンパを備えることを特徴とする収納箱。
【請求項２】
上記蓋体は、上記ガスダンパにおけるピストンロッドの摺動終端位置で開放角度が規制されることを特徴とする請求項１記載の収納箱。
【請求項３】
上記箱本体は、上記蓋体が閉じられたときに該蓋体をロック状態にし、且つ、所望の操作によって前記ロック状態が解除されるロック機構を備えることを特徴とする請求項１または２記載の収納箱。
【発明の詳細な説明】
【技術分野】
【０００１】
本発明は、工具等を収納する収納箱に関するものであり、特に、建設機械等に設置されていて蓋体が開閉自在に構成された収納箱に関するものである。
【背景技術】
【０００２】
従来、油圧ショベルなどの建設機械には、上部旋回体の一側部にキャブが配置され、他側部にステップを兼ねた収納箱や燃料タンクなどが配置され、作業者がこの収納箱を足場にして燃料タンクの上に登り、さらに、エンジンルームの上に移動できるようになっている。前記収納箱は工具等を出し入れするために開閉自在な蓋体が設けられているが、この蓋体は、作業者の足場となるために堅牢であると共に開閉操作の使い勝手がよいように構成されている。例えば、油圧ショベルなどに設置された箱装置において、蓋体と箱本体との間にラッチ機構とバネ機構とを設けることによって、蓋体を開閉するときの作業性を向上させた箱装置の技術が開示されている（例えば、特許文献１参照）。
【特許文献１】特開２００２−５９９５３号公報
【発明の開示】
【発明が解決しようとする課題】
【０００３】
しかしながら、上記の特許文献１に開示されている発明においては、収納箱となる箱装置の蓋体を開閉するときの作業性は向上しているが、ラッチ機構とバネ機構が複雑な構成になっているために箱装置が高価なものとなってしまう。さらに、振動の多い油圧ショベルなどの建設機械にこのような箱装置を設置した場合、ラッチ機構やバネ機構が複雑であるために、振動などによって開閉機構が故障したりするおそれがある。あるいは、開閉操作時に蓋体が充分に開かなかったりして、必ずしも箱装置の使い勝手がよい状態を維持できない場合もある。
【０００４】
そこで、蓋体の開閉機構が簡単であり、かつ、振動などによって故障しないような使い勝手のよい収納箱を提供するという技術的課題が生じてくるのであり、本発明はこのような課題を解決することを目的とする。
【課題を解決するための手段】
【０００５】
本発明は上記の目的を達成するために提案されたものであり、請求項１記載の発明は、箱本体と蓋体とを備え、前記蓋体が開閉自在に構成された収納箱であって、前記箱本体と前記蓋体との間に、封入されたガスの圧力によって前記蓋体を開放させるガスダンパを備える収納箱を提供するものである。
【０００６】
この構成によれば、ガスダンパのシリンダ内に封入されたガスの圧力によってピストンが動作し、そのピストンに連動するピストンロッドの伸張動作によって蓋体を押し開く。このとき、ガスダンパはシリンダ内のガスの圧力によりソフトな反発力にてスムーズに蓋体を開放させる。すなわち、機械的なバネ機構を設けなくても、ガスダンパを備えたことにより、バネ機能が具備される。
【０００７】
請求項２記載の発明は、上記前記蓋体は、上記ガスダンパにおけるピストンロッドの摺動終端位置で開放角度が規制される収納箱を提供するものである。
【０００８】
この構成によれば、シリンダ内を移動するピストンの終端位置でピストンロッドの摺動が止まるので、自動的に蓋体の開放動作が停止する。すなわち、機械的なストッパ機構を設けなくても、ガスダンパを備えたことにより、ストッパ機能が具備される。また、ガス
ダンパの取付端子を蓋体のどの位置に固定するかにより、蓋体の開放角度が変更される。
【０００９】
請求項３記載の発明は、上記箱本体は、上記蓋体が閉じられたときに該蓋体をロック状態にし、且つ、所望の操作によって前記ロック状態が解除されるロック機構を備える収納箱を提供するものである。
【００１０】
この構成によれば、箱本体にロック機構が設けられていて、蓋体を閉じると自動的に閉じられた状態で蓋体がロックされる。そして、例えば、押し釦を押すなどの操作によりロック機構を解除すれば、ガスダンパの反発力によって自動的に蓋体が開放され、規制された開放角度で停止する。
【発明の効果】
【００１１】
請求項１記載の発明によれば、ガスダンパの反発力によって蓋体が自動的に開放されるので、蓋体を開けるときの操作性が一段と向上する。しかも、収納箱にはバネ機構のような機械的要素がないので、建設機械などのような振動の大きい装置に収納箱を設置しても安定して蓋体の開閉動作を行うことができる。
【００１２】
請求項２記載の発明によれば、収納箱にストッパ機構を設けなくてもガスダンパがストッパ機能を具備しているので、ストッパ機構のための機械的要素が不要となるために部品点数を削減することができる。これにより、収納箱を軽量化することができると共に収納スペースを有効に使うことができ、コストダウンが図られると共に蓋体開閉時の故障率を低下させることができる。
【００１３】
請求項３記載の発明によれば、ロック機構によって蓋体を閉じた状態では収納箱は安定した足場として利用することができる。また、押し釦を押すなどの操作でロック機構を解除すれば、ガスダンパの反発力によって自動的に蓋体が開放されるので、蓋体の開閉時における操作性を向上することができる。
【発明を実施するための最良の形態】
【００１４】
以下、本発明に係る収納箱について、好適な実施例として油圧ショベルに設置された収納箱を一例に挙げて説明する。本発明は、蓋体の開閉機構が簡単であり、且つ、振動などによって故障しないような使い勝手のよい収納箱を提供するという目的を下記のようにして実現した。すなわち、本発明は、蓋体を開閉するバネ機構をガスダンパにすることによって蓋体の開閉時における操作性を向上させた。さらに、ガスダンパのみによってバネ機能とストッパ機能の両方の機能を具備することができるので、機械的なラッチ機構やバネ機構などが不要となり、部品点数を削減することができる。このため、収納箱全体の機構が簡単になるので、箱装置が安価になると共に故障率が低下して使い勝手も向上する。
【実施例】
【００１５】
図１は、本発明の収納箱であって蓋体を閉じた状態を示す側面図、図２は蓋体を開いた状態を示す側面図、図３は蓋体を開いた状態を示す斜視図である。
【００１６】
図２及び図３に示すように、収納箱１は、工具等を収納するためのスペースを有する箱本体２と箱本体２の蓋となる蓋体３とによって収納部分が構成されている。また、箱本体２と蓋体３とは蝶番９等によって連結されていて蓋体３が自在に開閉できるようになっている。さらに、箱本体２と蓋体３との間には、箱側取付部材４と蓋側取付部材５とによってガスダンパ６が取り付けられていて、ガスダンパ６による反発力によって蓋体３が開放できるようになっている。後述するように、ガスダンパ６の内部に封入されている窒素ガスの圧力によってピストンが移動し、ピストンロッド６ａが摺動してガスダンパ６が伸張動作することにより、蓋体３を開放方向へ押し上げるように構成されている。
【００１７】
また、蓋体３の裏面にはロック爪７ａが設けられている。一方、箱本体２側にはフック７ｂが回動可能に設けられ、前記ロック爪７ａとフック７ｂとによりロック機構７が構成される。蓋体３を押し下げて閉止したときに、前記ロック爪７ａがフック７ｂを押し開くように回動させ、続いて、該フック７ｂがばね等により押し戻されてロック爪７ａに係止することにより、前記ロック機構７がロック状態となり、図１に示すように、箱本体２に蓋体３が閉止された状態でロックされる。
【００１８】
図１に示すように、前記箱本体２側には前記ロック機構７を解除するための押し釦８が設けられており、図示した状態では、ロック機構７の作動によって蓋体３が箱本体２に土知られた状態でロックされている。そして、前記押し釦８を押すことにより前記フック７ｂが押し開かれ、該フック７ｂとロック爪７ａとの係止が外れてロック機構７のロックが解除され、ガスダンパ６の反発力により蓋体３が開くように構成されている。
【００１９】
図４は、本発明の収納箱に用いられるガスダンパ６の構成図である。同図に従って、ガスダンパ６についてさらに詳しく説明する。このガスダンパ６は、シリンダ６ｂの内部にピストンロッド６ａと一体で軸方向に摺動するピストン６ｃが設けられていて、このピストン６ｃによってシリンダ６ｂの内部はＡ室とＢ室の二つの部屋に分けられ、Ａ室及びＢ室にはそれぞれ窒素ガスの圧縮ガスが充填されている。また、Ａ室とＢ室の二つの部屋はピストン６ｃに設けられた穴６ｆによって連通されている。さらに、シリンダ６ｂ内には適量の油が充填され、ピストンロッド６ａの伸び縮みする速度を油圧によって制御している。尚、ピストンロッド６ａがシリンダ６ｂから外部へ挿通する部分は、詳細は図示されていないが、ガス漏れ及び油漏れを防止するためにシーリングされている。
【００２０】
また、ピストンロッド６ａの先端部には箱側取付端子６ｄが形成され、図１における収納箱１の蓋側取付部材５にボルトなどで固定できるようになっている。さらに、ピストンロッド６ａが挿通しない側のシリンダ６ｂの先端部には蓋側取付端子６ｅが形成され、図１における蓋体３の蓋側取付部材５にボルトなどで固定できるようになっている。これによって、ガスダンパ６は、蓋体３が閉まっているときは図１に示すような取り付け構成となり、蓋体３の開放時には、図２及び図３に示すようにピストンロッド６ａが蓋体３を開放方向へ持ち上げるように動作する。
【００２１】
図４に示すようなガスダンパ６は、広範囲なバネ特性が得られると共に大きなストロークが得られる。また、ガスダンパ６は、小型で大きな荷重が得られると共に極めてなめらかなバネ作用が得られる。例えば、ガスダンパによるバネ反力は、ストロークが最大長のときは７５〜４５０ｋｇｆ、ストロークが最小長のときは１００〜６６０ｋｇｆであり、また、ストローク長は凡そ５０〜２５０ｍｍである。
【００２２】
図５は、前記ガスダンパ６を選定するための概念図である。図５にしたがって、ガスダンパ６の選定方法について説明する。同図において、Ｆはガスダンパの伸長時における必要反発力、Ｗは蓋体の重さ、Ｇは蝶番から蓋体の重心までの水平距離、Ｂは蝶番からガスダンパの支点までの距離、ｎはガスダンパの本数である。上記のように定義すると、ガスダンパの伸長時における必要反発力Ｆは次の（１）式で表わされる。
Ｆ＝（Ｗ×Ｇ）／（Ｂ×ｎ）  ……（１）式
【００２３】
次に、図１〜図４に従って、収納箱１の蓋体３を開閉する動作について説明する。図１に示すように蓋体３が閉まっている状態のとき、押し釦８を押すとロック機構７が解除されるので、ガスダンパ６はシリンダ６ｂ内のガス圧力により、ピストン６ｃを介してピストンロッド６ａが図４中の左方向へスライドし、該ガスダンパ６が伸張駆動される。図２及び図３に示すように、蓋体３はガスダンパ６の伸張動作により上方に押し上げられ、蓋
体３は前記蝶番９を回動中心としてピストンロッド６ａが伸びきった位置まで開放する。このとき、シリンダ６ｂ内のガスの圧力により、ガスダンパ６はソフトな反発力にてスムーズに蓋体を開放させる。また、ガスダンパの取付端子を蓋体のどの位置に固定するかにより、蓋体の開放角度を変更することができる。このように、当該収納箱１は、ガスダンパ６を装着していることにより、蓋体３を開放させるバネ機能を具備すると共に蓋体の開放角度を決めるストッパ機能も具備している。
【００２４】
これに対して、図２及び図３に示した蓋体３が開放された状態から、蓋体３を下方へ押し下げることにより、前記ガスダンパ６のピストンロッド６ａがシリンダ６ｂ内へ押し込まれ、シリンダ６ｂ内のガス圧力に抗してピストン６ｃが図４中の右方向へスライドし、該ガスダンパ６が収縮駆動される。したがって、蓋体３を下方へ押し下げ続けることにより、蓋体３が前記蝶番９を回動中心として閉鎖され、ロック爪７ａがフック７ｂに係止してロック機構７が作動し、図１に示すように、蓋体３は閉止状態にロックされる。
【００２５】
図６は、本発明の収納箱を油圧ショベルに設置した場合の外観図である。油圧ショベル１０は、下部走行体１１の上に旋回機構１２を介して上部旋回体１３が旋回自在に載置されている。また、上部旋回体１３にはその前方の側部にキャブ１４が設けられ、且つ、前方中央部にブーム１５が俯仰可能に取り付けられている。さらに、ブーム１５の先端にアーム１６が上下回動自在に取り付けられ、該アーム１６の先端にバケット１７が取り付けられている。そして、上部旋回体１３の右側前部に本発明の収納箱１が設置されている。
【００２６】
同図には、収納箱１の各部品は表示されていないが、前述したように、該収納箱１の前部に押し釦８が設けられており、作業者がこの押し釦８を押すとロック機構７が解除され、ガスダンパ６の伸張動作よって蓋体３が上方に押し上げられて、収納箱１の蓋体３が自動的に開放される。この状態で、収納箱１の内部に工具などを収納することができる。そして、蓋体３を押し下げればガスダンパ６が収縮駆動されて蓋体３が閉止し、ロック機構７が作動して蓋体３が閉止状態にロックされる。したがって、作業者がこの収納箱１を足場にして上部旋回体１３の上面部へ登ることが可能となる。
【００２７】
尚、上記実施例は本発明を説明するための一例であって、本発明の精神を逸脱しない限り種々の改変を為すことができ、かつ、本発明は上記改変されたものに及ぶことは当然である。
【図面の簡単な説明】
【００２８】
【図１】本発明の収納箱であって蓋体を閉じた状態を示す側面図。
【図２】図１に示す収納箱の蓋体を開いた状態を示す側面図。
【図３】図２に示す収納箱の斜視図。
【図４】本発明の収納箱に用いられるガスダンパの構成図。
【図５】図４に示すガスダンパを選定するための概念図。
【図６】本発明の収納箱を油圧ショベルに設置した場合の外観図。
【符号の説明】
【００２９】
１    収納箱
２    箱本体
３    蓋体
４    箱側取付部材
５    蓋側取付部材
６    ガスダンパ
７    ロック機構
８    押し釦
９    蝶番
１０  油圧ショベル
【図１】
2006001597.tif 000003
【図２】
2006001597.tif 000004
【図３】
2006001597.tif 000005
【図４】
2006001597.tif 000006
【図５】
2006001597.tif 000007
【図６】
2006001597.tif 000008